(57)【要約】【課題】ステーションとして動作する無線装置に対して容易に設定を行うことが可能な技術を提供する。【解決手段】無線ＬＡＮによる通信を行う無線装置は、アクセスポイントモードおよびステーションモードの何れか一方の動作モードで通信を行う無線通信部と、無線通信部が無線通信を行うための設定を行う通信設定部と、を備える。通信設定部は、無線通信部の動作モードをアクセスポイントモードに設定した上で、ステーションモードで動作する端末装置から、設定情報を取得し、取得した前記設定情報に基づき、無線通信部がステーションモードによって通信を行うための設定を行う。【選択図】図２
2015103990.tif 000002
【特許請求の範囲】
【請求項１】
無線ＬＡＮによる通信を行う無線装置であって、
アクセスポイントモードおよびステーションモードの何れか一方の動作モードで通信を行う無線通信部と、
前記無線通信部が無線通信を行うための設定を行う通信設定部と、
を備え、
前記通信設定部は、
前記無線通信部の動作モードをアクセスポイントモードに設定した上で、ステーションモードで動作する端末装置から、設定情報を取得し、
取得した前記設定情報に基づき、前記無線通信部がステーションモードによって通信を行うための設定を行う、
無線装置。
【請求項２】
請求項１に記載の無線装置であって、
前記通信設定部は、前記端末装置から複数の設定情報を取得する、無線装置。
【請求項３】
請求項２に記載の無線装置であって、
前記複数の設定情報には、アクセスポイントモードで動作する前記端末装置と通信を行うための情報が含まれる、無線装置。
【請求項４】
請求項２または請求項３に記載の無線装置であって、
前記複数の設定情報には、クライアントモードで動作する前記端末装置が、アクセスポイント装置と通信を行うための情報が含まれる、無線装置。
【請求項５】
請求項２から請求項４までのいずれか一項に記載の無線装置であって、
前記複数の設定情報には、それぞれ、通信の設定に用いられる優先順位が対応付けられている、無線装置。
【請求項６】
請求項１から請求項５までのいずれか一項に記載の無線装置であって、
更に、前記端末装置から受信したデータを記憶する記憶部
を備える、無線装置。
【請求項７】
請求項６に記載の無線装置であって、
前記記憶部は、前記無線装置に外部接続されている、無線装置。
【請求項８】
無線システムであって、
無線装置と、
前記無線装置と無線ＬＡＮによる通信を行う端末装置と、を含み、
前記無線装置は、
アクセスポイントモードおよびステーションモードの何れか一方の動作モードで通信を行う無線通信部と、
前記無線通信部が無線通信を行うための設定を行う通信設定部と、
を備え、
前記通信設定部は、
前記無線通信部の動作モードをアクセスポイントモードに設定した上で、ステーションモードで動作する前記端末装置から、設定情報を取得し、
取得した前記設定情報に基づき、前記無線通信部がステーションモードによって通信を行うための設定を行う、
無線システム。
【請求項９】
無線装置が、無線ＬＡＮによる通信を行うための方法であって、
動作モードをアクセスポイントモードに設定した上で、ステーションモードで動作する端末装置から、設定情報を取得し、
取得した前記設定情報に基づき、ステーションモードによって通信を行うための設定を行う、
方法。
【請求項１０】
無線通信回路を備えるコンピュータが、無線ＬＡＮによる通信を行うためのコンピュータプログラムであって、
前記無線通信回路の動作モードをアクセスポイントモードに設定した上で、ステーションモードで動作する端末装置から、設定情報を取得する機能と、
取得した前記設定情報に基づき、前記無線通信回路がステーションモードによって通信を行うための設定を行う機能と、
をコンピュータに実現させるコンピュータプログラム。
【発明の詳細な説明】
【技術分野】
【０００１】
本発明は、無線装置に関する。
【背景技術】
【０００２】
無線ＬＡＮインタフェースを備え、無線ＬＡＮ経由で端末装置（例えば、スマートフォン）が接続される無線装置として、例えば、無線ストレージ装置が存在する。無線ストレージ装置とは、無線ＬＡＮによって接続された端末装置から受信したデータを記憶する装置である。無線ストレージ装置は、例えば、アクセスポイント（親機）として動作し、端末装置は、そのステーション（子機）として動作する。しかし、無線ストレージ装置は、通常、ルータ機能を備えていない。そのため、端末装置は、無線ＬＡＮ経由で無線ストレージ装置に接続されると、インターネットから切断されてしまう。
【先行技術文献】
【特許文献】
【０００３】
【特許文献１】特開２０１２−０９０２０５号公報
【特許文献２】特開２００４−３６３７００号公報
【発明の概要】
【発明が解決しようとする課題】
【０００４】
端末装置がインターネットから切断されてしまうことを回避するため、例えば、端末装置をアクセスポイントとして動作させ（特許文献１参照）、無線ストレージ装置をそのステーションとして動作させることが考えられる。ところが、無線ストレージ装置は、一般的に、操作ボタンやタッチパネル等の入力装置を備えていないため、アクセスポイントに接続するための設定情報（ＳＳＩＤ（Service Set Identifier）、暗号タイプ、および、暗号化キー）を無線ストレージ装置に設定することが困難である。そのため、ステーションとして動作する無線装置に対して容易に設定を行うことが可能な技術が望まれている。このような課題は、無線ストレージ装置に限られず、無線ＬＡＮインタフェースを備えるカメラやプリンタなど、他の無線装置にも共通した課題である。
【０００５】
従来の無線装置においては、そのほか、処理負担の軽減や通信量の削減、使い勝手の向上などが望まれている。
【課題を解決するための手段】
【０００６】
本発明は、上述の課題の少なくとも一部を解決するためになされたものであり、以下の形態として実現することが可能である。
【０００７】
（１）本発明の第１の形態によれば、無線ＬＡＮによる通信を行う無線装置が提供される。この無線装置は、アクセスポイントモードおよびステーションモードの何れか一方の動作モードで通信を行う無線通信部と、前記無線通信部が無線通信を行うための設定を行う通信設定部と、を備え、前記通信設定部は、前記無線通信部の動作モードをアクセスポイントモードに設定した上で、ステーションモードで動作する端末装置から、設定情報を取得し、取得した前記設定情報に基づき、前記無線通信部がステーションモードによって通信を行うための設定を行う。このような形態の無線装置は、アクセスポイントモードで動作している際に、ステーションモードで動作する端末装置から設定情報を取得することができるので、無線装置に入力装置が備えられていない場合であっても、ステーションモードで動作するための設定を容易に行うことができる。
【０００８】
（２）上記形態の無線装置において、前記通信設定部は、前記端末装置から複数の設定情報を取得してもよい。このような形態であれば、複数の設定情報を使い分けることで、様々なネットワーク環境に対応することができる。
【０００９】
（３）上記形態の無線装置において、前記複数の設定情報には、アクセスポイントモードで動作する前記端末装置と通信を行うための情報が含まれてもよい。このような形態であれば、端末装置がアクセスポイントモードで動作した際に、その端末装置のステーションとして無線装置を動作させることができる。
【００１０】
（４）上記形態の無線装置において、前記複数の設定情報には、クライアントモードで動作する前記端末装置が、アクセスポイント装置と通信を行うための情報が含まれてもよい。このような形態であれば、無線装置を、端末装置と同じネットワーク内に所属させることができる。そのため、アクセスポイント装置を介して、無線装置と端末装置とが通信可能になる。
【００１１】
（５）上記形態の無線装置において、前記複数の設定情報には、それぞれ、通信の設定に用いられる優先順位が対応付けられてもよい。このような形態であれば、複数のアクセスポイントが存在する場合に、優先順位に基づいて、接続先のアクセスポイントに自動的に選択することができる。
【００１２】
（６）上記形態の無線装置は、更に、前記端末装置から受信したデータを記憶する記憶部を備えてもよい。このような形態であれば、無線装置を無線ストレージ装置として構成することができる。
【００１３】
（７）上記形態の無線装置において、前記記憶部は、前記無線装置に外部接続されてもよい。このような形態であれば、様々な記憶媒体を記憶部として適用することができる。
【００１４】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１５】
例えば、本発明の一形態は、通信部と設定部との内の一つ以上の要素を備えた装置として実現可能である。すなわち、この装置は、通信部を有していても良く、有していなくても良い。また、装置は、設定部を有していても良く、有していなくても良い。通信部は、例えば、アクセスポイントモードおよびステーションモードの何れか一方の動作モードで通信を行う無線通信部として構成されてもよい。設定部は、前記無線通信部が無線通信を行うための設定を行う通信設定部として構成されてもよい。こうした装置は、例えば無線ＬＡＮによる通信を行う無線装置として実現できるが、無線装置以外の他の装置としても実現可能である。このような形態によれば、処理負担の軽減や、通信量の削減、使い勝手の向上等の種々の課題の少なくとも１つを解決することができる。前述した無線装置の各形態の技術的特徴の一部又は全部は、いずれもこの装置に適用することが可能である。
【００１６】
本発明は、無線装置以外の種々の形態で実現することも可能である。例えば、無線システムや、無線装置が無線ＬＡＮによる通信を行うための方法、無線通信回路を備えるコンピュータが無線ＬＡＮによる通信を行うためのコンピュータプログラム、そのコンピュータプログラムを記録した一時的でない記録媒体等の形態で実現することができる。
【図面の簡単な説明】
【００１７】
【図１】無線システムの概略構成を示す説明図である。
【図２】端末装置の概略構成を示すブロック図である。
【図３】無線装置の概略構成を示すブロック図である。
【図４】設定処理のフローチャートである。
【図５】第２実施形態における無線システムの概略構成を示す説明図である。
【図６】第２実施形態における端末装置の概略構成を示すブロック図である。
【図７】第２実施形態において実行される設定処理のフローチャートである。
【発明を実施するための形態】
【００１８】
Ａ．第１実施形態：
図１は、第１実施形態における無線システム１０の概略構成を示す説明図である。無線システム１０は、無線装置１００と端末装置２００とを含む。本実施形態では、無線装置１００は、無線ＬＡＮによる通信が可能な無線ストレージ装置として構成されている。また、本実施形態では、端末装置２００は、スマートフォンとして構成されている。端末装置２００は、例えば、３Ｇ回線やＬＴＥ回線などの移動体通信網を介してインターネットＩＮＴに接続することが可能である。
【００１９】
図２は、端末装置２００の概略構成を示すブロック図である。端末装置２００は、ＣＰＵ２１０を備える。ＣＰＵ２１０には、ＲＡＭ２２０と、ＲＯＭ２３０と、無線通信部２５０と、移動体通信部２６０と、表示装置２７０と、入力装置２８０と、が接続されている。これらの各デバイスには、バッテリ２９０から電力が供給される。前述のように、端末装置２００は、スマートフォンとして構成されている。そのため、表示装置２７０としては、例えば、液晶表示装置が適用される。また、入力装置２８０としては、例えば、タッチパネルが適用される。
【００２０】
無線通信部２５０は、ＩＥＥＥ８０２．１１規格に基づき、無線ＬＡＮによる通信を行う回路である。無線通信部２５０は、アクセスポイントモードおよびステーションモードでの動作に対応している。端末装置２００は、無線通信部２５０を用いてアクセスポイントモードで動作することで、テザリングを行うことができる。テザリングとは、ステーションモードで動作する他の装置とインターネットＩＮＴとの間の通信を中継することをいう。本実施形態では、テザリングにおける通信の中継は、無線ＬＡＮ通信によって行われる。以下では、端末装置２００がアクセスポイントモードで動作することを、「テザリングモードで動作する」ともいう。
【００２１】
移動体通信部２６０は、３Ｇ回線やＬＴＥ回線などの移動体通信網を介してインターネットＩＮＴに無線接続するための通信回路である。
【００２２】
ＲＯＭ２３０には、端末装置２００をスマートフォンとして動作させるためのファームウェアが記録されている。また、ＲＯＭ２３０には、設定アプリケーションプログラム２３１がインストールされている。ＣＰＵ２１０は、ＲＯＭ２３０に記録された設定アプリケーションプログラム２３１をＲＡＭ２２０にロードして実行することで、無線装置１００の通信設定を行う。
【００２３】
ＲＯＭ２３０には、更に、端末装置２００がテザリングモードで動作するための設定情報２３２が記録されている。設定情報２３２には、ＳＳＩＤ（Service Set Identifier）と暗号タイプと暗号化キーとが含まれる。これらの値は、例えば、表示装置２７０に表示される所定のＧＵＩ（Graphical User Interface）をユーザが入力装置２８０を用いて操作することにより入力される。
【００２４】
図３は、無線装置１００の概略構成を示すブロック図である。無線装置１００は、ＣＰＵ１１０を備える。ＣＰＵ１１０には、ＲＡＭ１２０と、ＲＯＭ１３０と、ＵＳＢ（Universal Serial Bus）インタフェース１４０と、無線通信部１５０と、記憶部１６０と、が接続されている。これらの各デバイスには、バッテリ１７０から電力が供給される。
【００２５】
ＵＳＢインタフェース１４０は、ＵＳＢケーブルを介してパーソナルコンピュータ等のホスト装置が接続されるインタフェースである。ＵＳＢインタフェース１４０にホスト装置が接続されると、無線装置１００はＵＳＢマスストレージ装置として動作する。ＵＳＢインタフェース１４０は省略することも可能である。
【００２６】
無線通信部１５０は、ＩＥＥＥ８０２．１１規格に基づき、無線ＬＡＮによる通信を行う回路である。無線通信部１５０は、アクセスポイントモードおよびステーションモードでの動作に対応している。
【００２７】
記憶部１６０は、ＵＳＢインタフェース１４０や無線通信部１５０によって接続された装置から転送されたデータを記憶する装置である。記憶部１６０としては、例えば、ハードディスクドライブやフラッシュメモリを適用することができる。記憶部１６０は、所定の接続インタフェース（例えば、ＵＳＢインタフェースやメモリカードインタフェース）を介して無線装置１００に外部接続（外付け）されても良い。記憶部１６０が外付けされていれば、外付けハードディスクやＵＳＢフラッシュメモリ、メモリカードなどの様々な記憶媒体を記憶部１６０として適用することができる。また、無線装置１００は、記憶部として、内蔵タイプの記憶部と外付けタイプの記憶部とを両方備えても良い。
【００２８】
ＲＯＭ１３０には、無線装置１００を動作させるためのコンピュータプログラム（ファームウェア）が記録されている。ＣＰＵ１１０は、ＲＯＭ１３０に記録されたファームウェアをＲＡＭ１２０にロードして実行することで、通信設定部１１２として動作する。通信設定部１１２は、無線通信部１５０が無線通信を行うための設定を行う。ＣＰＵ１１０は、その他にも、ＵＳＢインタフェース１４０を介して接続された装置や、無線通信部１５０を介して接続された装置から受信したデータを記憶部１６０に記憶させる制御を行う。
【００２９】
図４は、無線装置１００と端末装置２００との間で実行される設定処理のフローチャートである。この設定処理の開始時には、無線装置１００は、アクセスポイントモードで動作し（ステップＳ１００）、端末装置２００は、ステーションモードで動作して無線装置１００に接続されているものとする（ステップＳ２００）。無線装置１００と端末装置２００とは、例えば、ＡＯＳＳ（AirStation One-Touch Secure System，登録商標）やＷＰＳ（Wi-Fi Protected Setup）などの自動接続技術によって接続させることが可能である。もちろん、自動接続ではなく手動で、無線装置１００と端末装置２００とを接続することも可能である。ここで、無線装置１００と端末装置２００とが「接続される」とは、アクセスポイントモードで動作する無線装置１００に設定されたＳＳＩＤ、暗号タイプ、暗号化キーの設定と同じ設定がステーションモードで動作する端末装置２００に設定されることにより、端末装置２００が無線装置１００に無線接続されることをいう。
【００３０】
端末装置２００において設定アプリケーションプログラム２３１が実行されると、端末装置２００は、そのプログラムに従い、端末装置２００に予め設定されている設定情報２３２を無線装置１００に送信する（ステップＳ２１０）。この設定情報２３２には、端末装置２００をテザリングモードで動作させる際のＳＳＩＤと暗号タイプと暗号化キーとが含まれる。例えば、ユーザは、端末装置２００に備えられた入力装置２８０を用いることで、設定情報２３２の各値を端末装置２００に入力することができる。ステップＳ２１０では、端末装置２００は、例えば、ＡＥＳ（Advanced Encryption Standard）やＲＣ４（Rivest Cipher 4）などの周知の暗号化技術によって設定情報２３２を暗号化して送信してもよい。
【００３１】
設定情報２３２を無線装置１００に送信すると、端末装置２００は、設定アプリケーションプログラム２３１に従い、動作モードをテザリングモードとする（ステップＳ２２０）。このテザリングモードにおいて使用されるＳＳＩＤと暗号タイプと暗号化キーとは、ステップＳ２１０において無線装置１００に送信した設定情報２３２に含まれるＳＳＩＤと暗号タイプと暗号化キーと同一である。
【００３２】
端末装置２００から設定情報２３２が送信されると、無線装置１００の通信設定部１１２は、その設定情報２３２を受信する（ステップＳ１１０）。そして、通信設定部１１２は、受信した設定情報２３２に基づき、無線通信部１５０がステーションモードによって通信を行うための設定を行う（ステップＳ１２０）。設定を行うと、通信設定部１１２は、その設定に従って無線通信部１５０をステーションモードで動作させる（ステップＳ１３０）。すると、無線装置１００は、特別な操作を必要とせずに、テザリングモードで動作している端末装置２００に接続される。ステップＳ１１０で受信した設定情報２３２には、端末装置２００がテザリングモードで動作するための値（ＳＳＩＤ、暗号タイプ、暗号化キー）と同じ値がデフォルト値として含まれているからである。
【００３３】
以上で説明した第１実施形態によれば、無線装置１００は、アクセスポイントモードで動作している際に、ステーションモードで動作する端末装置２００から設定情報２３２を取得する。そのため、無線装置１００が入力装置を備えていない場合であっても、無線装置１００をステーションモードで動作させるための設定を容易に行うことができる。特に、本実施形態では、端末装置２００がテザリングモードで動作する際に使用する設定情報２３２が、無線装置１００に送信される。そのため、ユーザは、無線装置１００に対して何の設定操作を行うことなく、無線装置１００をテザリングモードで動作する端末装置２００に接続させることができる。なお、本実施形態では、端末装置２００がテザリングモードで動作する際に使用する設定情報２３２と同一の設定情報が、無線装置１００に設定されるデフォルトの設定情報として用いられるが、端末装置２００から無線装置１００に送信される設定情報は、ユーザが手動で値を変更しても良い。
【００３４】
更に、本実施形態では、端末装置２００は、自己のテザリング機能によってアクセスポイントとして動作することで、無線装置１００との接続を確保しながら、インターネットＩＮＴに対する通信を行うことができる。よって、ユーザの利便性を向上させることができる。
【００３５】
Ｂ．第２実施形態：
上記第１実施形態では、図４に示した設定処理が完了した後には、端末装置２００がアクセスポイントとなり、無線装置１００が、そのステーションとして動作する。これに対して、第２実施形態では、設定処理が完了した後に、無線装置１００と端末装置２００とが、両方とも、独立したアクセスポイント装置に接続されることを可能とする。
【００３６】
図５は、第２実施形態における無線システム１０ａの概略構成を示す説明図である。無線システム１０ａは、無線装置１００と端末装置２００aとアクセスポイント装置３００とを含む。アクセスポイント装置３００は、ルータ機能を備えている。アクセスポイント装置３００は、このルータ機能により、アクセスポイント装置３００に接続されたステーション（例えば、端末装置２００ａ）とインターネットＩＮＴとの通信を中継することができる。
【００３７】
図６は、第２実施形態における端末装置２００ａの概略構成を示すブロック図である。本実施形態における端末装置２００ａと第１実施形態における端末装置２００とで異なる点は、ＲＯＭ２３０内に、複数の設定情報２３２が記録されており、それぞれの設定情報２３２に対して、優先順位が記録されている点である。その他の構成は、第１実施形態の端末装置２００と同一であるため、詳細な説明は省略する。
【００３８】
図７は、第２実施形態において実行される設定処理のフローチャートである。第２実施形態においても、この設定処理の開始時には、無線装置１００は、アクセスポイントモードで動作し（ステップＳ１００ａ）、端末装置２００ａは、ステーションモードで動作して無線装置１００に接続される（ステップＳ２００ａ）。
【００３９】
端末装置２００ａにおいて設定アプリケーションプログラム２３１が実行されると、端末装置２００ａは、そのプログラムに従い、端末装置２００ａに予め設定されている設定情報２３２を無線装置１００に送信する（ステップＳ２１０ａ）。本実施形態では、端末装置２００ａに予め記憶されている複数の設定情報２３２が無線装置１００に送信される。各設定情報２３２には、優先順位とＳＳＩＤと暗号タイプと暗号化キーとが含まれる。複数の設定情報２３２には、例えば、端末装置２００ａをテザリングモードで動作させるための設定情報（以下、「第１の設定情報」ともいう）と、端末装置２００ａをステーションとしてアクセスポイント装置３００に無線ＬＡＮ接続させるための設定情報（以下、「第２の設定情報」ともいう）と、が含まれる。複数の設定情報２３２には、これら２つの設定情報以外にも、アクセスポイント装置３００以外の他の登録されたアクセスポイント装置に端末装置２００ａを無線ＬＡＮ接続させるための設定情報も含まれてもよい。各設定情報２３２に含まれる優先順位には、どの設定情報を優先的に無線装置１００に適用するかが規定されている。優先順位は、無線システム１０ａのネットワーク環境に応じて、ユーザが予め設定する。ユーザは、端末装置２００ａに備えられた入力装置２８０を用いることで、端末装置２００ａに優先順位を設定することができる。なお、端末装置２００ａから無線装置１００へ送信される設定情報２３２が１つの場合には、優先順位は記録されていなくてもよい。
【００４０】
複数の設定情報２３２を無線装置１００に送信すると、端末装置２００ａは、前述した優先順位に従って設定の変更を行う（ステップＳ２２０ａ）。具体的には、第２の設定情報の優先順位が第１位であれば、端末装置２００ａは、ステーションモードで動作したまま、その設定情報に従い、アクセスポイント装置３００に接続を行う。第１の設定情報の優先順位が第１位であれば、端末装置２００ａは、動作モードをテザリングモードに変更し、他のステーション（無線装置１００）のインターネットＩＮＴ接続を中継する。
【００４１】
端末装置２００ａから複数の設定情報２３２が送信されると、無線装置１００の通信設定部１１２は、それらの設定情報２３２を受信する（ステップＳ１１０ａ）。そして、通信設定部１１２は、受信した各設定情報２３２およびその優先順位に基づき、無線通信部１５０がステーションモードによって通信を行うための設定を行う（ステップＳ１２０ａ）。設定を行うと、通信設定部１１２は、その設定に従って無線通信部１５０をステーションモードで動作させる（ステップＳ１３０ａ）。そうすると、無線装置１００は、第２の設定情報の優先順位が第１位であれば、図５に示したように、アクセスポイント装置３００に接続を行う。第１の設定情報の優先順位が第１位であれば、第１実施形態と同様に、テザリングモードで動作する端末装置２００ａに接続を行う。
【００４２】
以上で説明した第２実施形態によれば、無線装置１００は、アクセスポイントモードで動作している際に、ステーションモードで動作する端末装置２００ａから設定情報２３２を取得する。そのため、第１実施形態と同様に、無線装置１００が入力装置を備えていない場合であっても、無線装置１００をステーションモードで動作させるための設定を容易に行うことができる。また、本実施形態では、無線装置１００は、複数の設定情報２３２に基づいて通信設定を行うことができるので、様々なネットワーク環境に対応することができる。また、端末装置２００ａが、アクセスポイント装置３００に接続するための設定情報２３２（第２の設定情報）を有している場合には、無線装置１００は、その設定情報２３２を端末装置２００ａから取得することができるので、無線装置１００を、端末装置２００ａと同じネットワークに所属させることができる。よって、無線装置１００と端末装置２００ａとを、アクセスポイント装置３００を介して容易に接続することができる。また、本実施形態では、複数の設定情報２３２にそれぞれ優先順位が記録されているため、無線装置１００は、接続先のアクセスポイントを自動的に選択することができる。また、端末装置２００ａは、ステーションとして動作してアクセスポイント装置３００に接続することで、無線装置１００との接続を確保しながら、インターネットＩＮＴに対する通信を行うことができる。よって、ユーザの利便性を向上させることができる。
【００４３】
Ｃ．変形例：
＜変形例１＞
上記第２実施形態では、複数の設定情報２３２が端末装置２００ａから無線装置１００に送信される際に、各設定情報２３２に優先順位が記録される。これに対して、例えば、端末装置２００ａから送信される設定情報が、前述した第１の設定情報と第２の設定情報の２つだけであれば、優先順位は各設定情報に記録されていなくてもよい。この場合、無線装置１００は、第２の設定情報を、自身に設定するデフォルトの設定情報として選択する。また、第２の設定情報が含まれず、第１の設定情報だけを受信した場合には、第１の設定情報に基づき設定を行う。このような構成であれば、無線装置１００は、端末装置２００ａではなく、できるだけアクセスポイント装置３００に接続するように動作することになるので、無線システム１０ａに含まれる様々な装置が、無線装置１００を共有して利用することができる。
【００４４】
＜変形例２＞
上記第２実施形態では、例えば、図５に示したように、無線装置１００と端末装置２００ａとが両方ともステーションとしてアクセスポイント装置３００に接続される。これに対して、例えば、端末装置２００ａは、無線装置１００に対するアクセスポイントとして動作しつつ、アクセスポイント装置３００のステーションとして動作しても良い。つまり、端末装置２００ａは、アクセスポイントモードとステーションモードとが同時に機能する構成であってもよい。アクセスポイントモードとステーションモードとを同時に機能させるには、例えば、端末装置２００ａが、ハードウェアとしての無線通信部２５０を１つ備え、その無線通信部２５０をソフトウェア的にアクセスポイントおよびステーションとして制御することで実現することができる。また、端末装置２００ａが、ハードウェアとしての無線通信部２５０を２つ備え、一方をアクセスポイントモードで動作させ、他方をステーションモードで動作させても良い。
【００４５】
＜変形例３＞
上記実施形態では、無線装置１００は、無線ストレージ装置として構成されているものとしたが、無線装置１００の態様は無線ストレージ装置に限られない。例えば、無線装置１００を、無線ＬＡＮ機能を有するプリンタやスキャナ、カメラとして構成してもよい。
【００４６】
＜変形例４＞
上記実施形態では、無線装置１００が備える各デバイスには、バッテリ１７０から電力が供給されている。これに対して、無線装置１００の構成からバッテリ１７０を省略し、各デバイスには、商用電源から電力を供給してもよい。また、無線装置１００は、バッテリ１７０に蓄えられた電力を、他の装置（例えば、携帯電話やスマートフォン、ポータブルルータ等）に供給できるように、電力供給用のＵＳＢコネクタや他の形態の電源コネクタを備えていてもよい。
【００４７】
＜変形例５＞
上記実施形態では、端末装置２００，２００ａは、スマートフォンとして構成されている。これに対して、端末装置２００，２００ａは、アクセスポイントモードとクライアントモードのどちらのモードでも動作可能であれば、どのような装置であってもよい。例えば、移動体通信網に接続可能な携帯型のルータ装置や、タブレット端末、携帯情報端末、ゲーム機、パーソナルコンピュータなどの種々の装置を、無線端末として適用することが可能である。
【００４８】
＜変形例６＞
上記実施形態において、ソフトウェアによって実現した機能は、ハードウェアによって実現しても良い。また、ハードウェアによって実現した機能は、ソフトウェアによって実現しても良い。
【００４９】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５０】
１０，１０ａ…無線システム
１００…無線装置
１１０…ＣＰＵ
１１２…通信設定部
１２０…ＲＡＭ
１３０…ＲＯＭ
１４０…ＵＳＢインタフェース
１５０…無線通信部
１６０…記憶部
１７０…バッテリ
２００，２００ａ…端末装置
２１０…ＣＰＵ
２２０…ＲＡＭ
２３０…ＲＯＭ
２３１…設定アプリケーションプログラム
２３２…設定情報
２５０…無線通信部
２６０…移動体通信部
２７０…表示装置
２８０…入力装置
２９０…バッテリ
３００…アクセスポイント装置
ＩＮＴ…インターネット
【図１】
2015103990.tif 000003
【図２】
2015103990.tif 000004
【図３】
2015103990.tif 000005
【図４】
2015103990.tif 000006
【図５】
2015103990.tif 000007
【図６】
2015103990.tif 000008
【図７】
2015103990.tif 000009